(57)【要約】【課題】予め設定された時刻に至ったことを目視によって利用者に確実に報知できる光報知システムを提供する。【解決手段】電源２と、発光手段３と、発光手段３に電源２からの電流を出力開始する時間を設定し、報知設定時刻に至った時に、電源２から発光手段３に電流を出力するタイマースイッチ手段４とを備えて成る光報知器１を、報知時に使用される物品Ｐに備える。このとき報知時に使用される物品Ｐは、器具、食品、携帯バッグ・カバン、電話機、携帯電話機、時計、ピアノ、人形、キーホルダーのいずれかであるものとする。発光手段３は、各種の色彩で発光可能としたＬＥＤ素子または電球または液晶表示ランプのいずれかによるものとする。【選択図】図１
0003118408.tif 000002
【実用新案登録請求の範囲】
【請求項１】
電源と、発光手段と、発光手段に電源からの電流を出力開始する時間を設定し、報知設定時刻に至った時に、電源から発光手段に電流を出力させるタイマースイッチ手段とを備えて成る光報知器を、報知時に使用される物品に備えて成ることを特徴とする光報知システム。
【請求項２】
前記報知時に使用される物品は、器具、食品、携帯バッグ・カバン、電話機、携帯電話機、時計、ピアノ、人形、キーホルダーのいずれかである請求項１記載の光報知システム。
【請求項３】
電源と、発光手段と、発光手段に電源からの電流を出力開始する時間を設定し、報知設定時刻に至った時に、電源から発光手段に電流を出力させるタイマースイッチ手段とを備えて成る光報知器を、住宅、事務所、会社、工場、病院のいずれかにおける所定のエリア内に設置可能としたことを特徴とする光報知システム。
【請求項４】
電源と、発光手段と、発光手段に電源からの電流を出力開始する時間を設定し、報知設定時刻に至った時に、電源から発光手段に電流を出力させるタイマースイッチ手段とを備えて成る光報知器を、複数の報知内容が表記されている光透過可能なパネルに内蔵したことを特徴とする光報知システム。
【請求項５】
タイマースイッチ手段は、発光手段に電源からの電流を流す電流出力手段と、電流を出力開始する時間を設定するタイマー手段と、タイマー手段から報知設定時刻に対応したタイムアップ信号が出力されたときに電流出力手段の動作を制御して電源から発光手段に電流を出力させる出力制御手段とを備えて成る請求項１乃至４のいずれか記載の光報知システム。
【請求項６】
タイマー手段は、利用者が所望の時刻に設定可能としたＯＮ−ＯＦＦスイッチを備えた請求項５記載の光報知システム。
【請求項７】
前記発光手段は、各種の色彩で発光可能としたＬＥＤ素子または電球または液晶表示ランプのいずれかによる請求項１乃至６のいずれか記載の光報知システム。
【請求項８】
前記発光手段は、前記報知時に使用される物品、または所定のエリア内での使用形態、または複数の報知内容が表記されているパネルの報知の種類に応じて光の色合いを変更可能とした請求項１乃至７のいずれか記載の光報知システム。
【請求項９】
電源は、電池もしくは家庭用電源を使用する請求項１乃至８のいずれかに記載の光報知システム。
【考案の詳細な説明】
【技術分野】
【０００１】
本考案は、利用者に対し所望の時刻が達したことを光形態によって報知させることを可能とした光報知システムに関する。
【背景技術】
【０００２】
従来、利用者に対し所望の時刻が達したことを報知させる場合には、ブザー音によって報知する種々の報知システムが存在する。
【特許文献１】特に無し
【考案の開示】
【考案が解決しようとする課題】
【０００３】
しかしながら、従来におけるブザー音による報知システムでは、音自体がうるさく、例えば病院等での公共の場所での使用は他人（他の患者）に迷惑をかける。
【０００４】
また、このような報知システムが例えば工場や事務所等での複数箇所で使用されている場合には、音源が何処であるかの識別が瞬時にはつき難い。特に、騒音の激しい工場においては、このような報知音は聞き取り辛い。
【０００５】
さらに、このようなブザー音を鳴らすためには、かなり大きな電力を要するため、電池・電力代の消耗が厳しい。
【０００６】
加えて、このような従来のブザー音による報知システムでは、単独での面白みや楽しみも低減してしまう。
【０００７】
そこで、本考案は、叙上のような従来存した諸事情に鑑み創出されたもので、例えば病院等の公共の場所であっても他人に迷惑がかからず、しかも騒音の激しい工場や会社等であっても利用者に対し所望の時刻が達したことを容易に報知させることができ、さらに低消費電力で長時間使用することができ、加えて利用者に対し、従来のブザー音による報知システムでは得られない面白みや楽しみを十分に与えることができる光報知システムを提供することを目的とする。
【課題を解決するための手段】
【０００８】
上述した課題を解決するため、本考案にあっては、電源と、発光手段と、発光手段に電源からの電流を出力開始する時間を設定し、報知設定時刻に至った時に、電源から発光手段に電流を出力させるタイマースイッチ手段とを備えて成る光報知器を、報知時に使用される物品に備えて成ることを特徴とする。
【０００９】
前記報知時に使用される物品は、器具、食品、携帯バッグ・カバン、電話機、携帯電話機、時計、ピアノ、人形、キーホルダーのいずれかである。
【００１０】
電源と、発光手段と、発光手段に電源からの電流を出力開始する時間を設定し、報知設定時刻に至った時に、電源から発光手段に電流を出力させるタイマースイッチ手段とを備えて成る光報知器を、住宅、事務所、会社、工場、病院のいずれかにおける所定のエリア内に設置可能としたことを特徴とする。
【００１１】
電源と、発光手段と、発光手段に電源からの電流を出力開始する時間を設定し、報知設定時刻に至った時に、電源から発光手段に電流を出力させるタイマースイッチ手段とを備えて成る光報知器を、複数の報知内容が表記されている光透過可能なパネルに内蔵したことを特徴とする。
【００１２】
タイマースイッチ手段は、発光手段に電源からの電流を流す電流出力手段と、電流を出力開始する時間を設定するタイマー手段と、タイマー手段から報知設定時刻に対応したタイムアップ信号が出力されたときに電流出力手段の動作を制御して電源から発光手段に電流を出力させる出力制御手段とを備えて成る。
【００１３】
タイマー手段は、利用者が所望の時刻に設定可能としたＯＮ−ＯＦＦスイッチを備えたものとなっている。
【００１４】
前記発光手段は、各種の色彩で発光可能としたＬＥＤ素子または電球または液晶表示ランプのいずれかによる。
【００１５】
前記発光手段は、前記報知時に使用される物品、または所定のエリア内での使用形態、または複数の報知内容が表記されているパネルの報知の種類に応じて光の色合いを変更可能にしたものとなっている。
【００１６】
電源は、電池もしくは家庭用電源を使用するものとなっている。
【考案の効果】
【００１７】
本考案によれば、例えば病院等の公共の場所であっても他人に迷惑がかからず、しかも騒音の激しい工場や会社等であっても利用者に対し所望の時刻が達したことを容易に報知させることができ、さらに低消費電力で長時間使用することができ、加えて利用者に対し、従来のブザー音による報知システムでは得られない面白みや楽しみを十分に与えることができる。
【００１８】
すなわち、本考案に係る光報知システムは、電源と、発光手段と、発光手段に電源からの電流を出力開始する時間を設定し、報知設定時刻に至った時に、電源から発光手段に電流を出力させるタイマースイッチ手段とを備えて成る光報知器を、報知時に使用される物品に備えているので、予め設定された時刻に物品を使用するに至ったことを光によって利用者に確実に報知することができる。
【００１９】
前記報知時に使用される物品は、器具、食品、携帯バッグ・カバン、電話機、携帯電話機、時計、ピアノ、人形、キーホルダーのいずれかであるので、利用者に対しこれら各物品を使用すべき所望の時刻が達したことを身近に報知させることができる。例えば、本考案に係る光報知システムを、ピアノにセットして練習を開始する時刻を報知させたり、バッグやカバンにセットして学校や塾等へ持って行く時間、人との待ち合わせ時間、外出する時間等を報知させたり、テーブル上の食品等にセットして子供のおやつの時間を報知させたり、電話機や携帯電話機等にセットして相手先に電話かける時間を報知させたりすること等ができる。
【００２０】
電源と、発光手段と、発光手段に電源からの電流を出力開始する時間を設定し、報知設定時刻に至った時に、電源から発光手段に電流を出力させるタイマースイッチ手段とを備えて成る光報知器を、住宅、事務所、会社、工場、病院のいずれかにおける所定のエリア内に設置可能としたので、利用者のそれぞれの持場に応じた報知が可能となる。例えば病院等の公共の場所であっても他人に迷惑がかからず、しかも騒音の激しい工場や会社等であっても利用者に対し所望の時刻が達したことを光によって容易に報知させることができる。
【００２１】
電源と、発光手段と、発光手段に電源からの電流を出力開始する時間を設定し、報知設定時刻に至った時に、電源から発光手段に電流を出力させるタイマースイッチ手段とを備えて成る光報知器を、複数の報知内容が表記されている光透過可能なパネルに内蔵されているので、セットされた時間にパネルを発光させて報知内容を知ることができ、例えば、１日のスケジュールのうちの一つのスケジュールを実行するための予定時刻に至ったことを光によって利用者に確実に報知することができる。
【００２２】
タイマースイッチ手段は、発光手段に電源からの電流を流す電流出力手段と、電流を出力開始する時間を設定するタイマー手段と、タイマー手段から報知設定時刻に対応したタイムアップ信号が出力されたときに電流出力手段の動作を制御して電源から発光手段に電流を出力させる出力制御手段とを備えて成るので、低コストで確実なタイマースイッチが得られる。
【００２３】
タイマー手段は、利用者が所望の時刻に設定可能としたＯＮ−ＯＦＦスイッチを備えたので、所定の時刻設定が簡単且つ迅速に行える。
【００２４】
前記発光手段は、各種の色彩で発光可能としたＬＥＤ素子または電球または液晶表示ランプのいずれかによるので、低消費電力の発光体による光報知システムが得られると共に、例えば病院等の公共の場所であっても他人に迷惑がかからず、しかも騒音の激しい工場や会社等であっても利用者に対し所望の時刻が達したことを光によって容易に報知させることができる。
【００２５】
前記発光手段は、前記報知時に使用される物品、または所定のエリア内での使用形態、または複数の報知内容が表記されているパネルの報知の種類に応じて光の色合いを変更可能としたので、光報知に付随して種々の光の演出をかなでることができ、従来のブザー音による報知システムでは得られない面白みや楽しみを十分に与えることができる。
【００２６】
電源は、電池もしくは家庭用電源を使用するので、低消費電力で長時間使用することが可能な光報知器による光報知システムを容易に提供することができる。
【考案を実施するための最良の形態】
【００２７】
以下、図面を参照して本考案を実施するための最良の一形態を説明すると、図において示される符号１は、利用者に対し所望の時刻が達したことを光形態によって報知させるための本考案に係る光報知システムにおいて使用されるブロック構成によって示した光報知器である。
【００２８】
光報知器１は、図１に示すように、電源２として例えば携帯に便利となるようボタン型の電池を収容して使用したり、あるいは家庭用のＡＣ１００Ｖの電源に接続して使用したりすることができ、また各種の色彩で発光可能とした例えばＬＥＤ素子、豆ランプ等の電球、液晶表示ランプのいずれかによる発光手段３を備え、さらに発光手段３に電源２からの電流を出力開始する時間を設定し、報知設定時刻に至った時に、電源２から発光手段３に電流を出力させることが可能なタイマースイッチ手段４が内蔵されている。
【００２９】
さらに、タイマースイッチ手段４の具体的構成の一例としては、図２に示すように、発光手段３に電源２からの電流を流すための電流出力手段５と、電流を出力開始する時間を設定するためのタイマー手段６と、タイマー手段６から報知設定時刻に対応したタイムアップ信号が出力されたときに電流出力手段５の動作を制御して電源２から発光手段３に電流を出力させるための出力制御手段７とから構成されている。尚、このタイマースイッチ手段４の構成は、本考案を具現化するためのほんの一例に過ぎず、これに限定されずに他の回路形式を採用しても良いことは勿論である。
【００３０】
また、このタイマー手段６には、利用者が所望の時刻に設定できるようＯＮ−ＯＦＦスイッチ構造による、例えば、現在時間設定用ボタン８、電流出力時間設定用ボタン９、リセットボタン１０等が接続され、これら時間の設定操作を容易に確認できるようタイマー手段６に例えば液晶タイプの表示手段１１を備えている。
【００３１】
そして、この光報知器１を、報知時に使用される物品Ｐとして、例えば図３に示すように、住宅内での例えば器具、食品、携帯バッグ・カバン、電話機、携帯電話機、時計、ピアノ、人形、キーホルダーのいずれかに、例えば剥離紙付の両面粘着テープＱを介して貼着され、予め設定された時刻にこれら物品Ｐを使用するに至ったことを光によって認識できるようにしてある。尚、物品Ｐの製造時の段階で、当該物品Ｐに光報知器１を予め内蔵した状態で製造しても良いことは勿論である。また、光報知器１の取付手段としては図示の両面粘着テープＱの他、雌雄の面テープ（マジックテープ「登録商標」）、その他の公知の固定手段を採用することができる。
【００３２】
また、上記した構成による光報知器１は、住宅、事務所、会社、工場、病院等のいずれかにおける所定のエリア内に設置されるものとしても良い。
【００３３】
次に、以上のように構成された最良の形態についての使用、動作の一例について説明すると、光報知器１を、報知時に使用される物品Ｐに、剥離紙付の両面粘着テープＱを介して貼着する。リセットボタン１０の操作で光報知器１をリセット状態にしてから、表示手段１１を見ながら現在時間設定用ボタン８の設定操作と、電流出力時間設定用ボタン９の設定操作を行なう。
【００３４】
そして、設定した時刻に至ると光報知器１のタイマー手段６から報知設定時刻に対応したタイムアップ信号が出力されて出力制御手段７が作動し、この出力制御手段７で電流出力手段５の動作を制御して電源２から発光手段３に電流が出力して発光する。これにより、予め設定された時刻にこれら物品Ｐを使用するに至ったことを光によって認識できるものとなる。
【００３５】
図４には光報知器１の使用の他形態が示されている。
本形態では、電源、発光手段、タイマースイッチ手段それぞれを備えて成る光報知器１を、報知内容が表記されている光透過可能なパネルに内蔵してある。
【００３６】
すなわち、パネル器体１２の表面に、例えばおやつ、食事、塾、テレビ、学校、ピアノ等の複数の報知内容が表記された光透過可能な複数のパネル１３が配設され、各パネル１３の下側には、利用者が所望の時刻に設定できるようＯＮ−ＯＦＦスイッチ１４が配置されている。そして、各パネル１３の内部には、光報知器１が内蔵され、発光手段３によってパネル１３の後面を照射するものとしてある。
【００３７】
使用に際し、子供がＯＮ−ＯＦＦスイッチ１４によって各パネル１３をそれぞれの時間にセットしておき、セットした時刻に至った際には、その表記された内容と共にパネル１３が発光するのである。
【００３８】
また、光報知器１の更に他の形態として、発光手段３は、前記報知時に使用される物品、または所定のエリア内での使用形態、または複数の報知内容が表記されているパネルの報知の種類に応じて光の色合いを例えば青やピンク等のように任意に変更できるようにしても良い。さらに、使用される物品Ｐは、必ずしも既述の品物に限定されるものではない。
【図面の簡単な説明】
【００３９】
【図１】本考案を実施するための最良の形態における使用方法を示す一部切欠斜視図である。
【図２】同じく光報知器のブロック構成図である。
【図３】同じく光報知器の使用例を示す説明図である。
【図４】光報知器の他の使用形態を示す正面図である。
【符号の説明】
【００４０】
Ｐ    物品
Ｑ    両面粘着テープ
１    光報知器
２    電源
３    発光手段
４    タイマースイッチ手段
５    電流出力手段
６    タイマー手段
７    出力制御手段
８    現在時間設定用ボタン
９    電流出力時間設定ボタン
１０  リセットボタン
１１  表示手段
１２  パネル器体
１３  パネル
１４  ＯＮ−ＯＦＦスイッチ
【図１】
0003118408.tif 000003
【図２】
0003118408.tif 000004
【図３】
0003118408.tif 000005
【図４】
0003118408.tif 000006